(57)【要約】      （修正有）【課題】遮光性及び遮熱性に加え、保温効果の高い農業用ネット及び農業用ハウスの内張りカーテンを提供する。【解決手段】農業用ネット１は、糸状体５を網状に編成することで構成され、所望の幅に形成された遮光テープ１１が、複数本並列に配置されるとともに、遮光テープ１１の少なくとも片面側に、遮光テープ１１よりも熱反射率の高い熱反射部が備えられている。【選択図】図１
2020080655.tif 000002
【特許請求の範囲】
【請求項１】
糸状体で構成された網状の農業用ネットであって、
所望の幅に形成された遮光性を有する遮光テープが、複数本並列に配置されるとともに、
前記遮光テープの少なくとも片面側に、前記遮光テープよりも熱反射率の高い熱反射部が備えられた
農業用ネット。
【請求項２】
前記糸状体のうち少なくとも一部が透光性を備えた透光性糸状体で構成された
請求項１に記載の農業用ネット。
【請求項３】
前記糸状体のうち少なくとも一部が紡績糸で構成され、
前記紡績糸のうち少なくとも一部が栽培作物側に配置された
請求項１または請求項２に記載の農業用ネット。
【請求項４】
前記熱反射部が、前記遮光テープの少なくとも片面に成膜された金属皮膜によって構成された
請求項１乃至請求項３のうちのいずれかに記載の農業用ネット。
【請求項５】
透光性を有するナイロン製のフィルムが、前記遮光テープ同士の間のうち少なくとも一部に配置された
請求項１乃至請求項４のうちのいずれかに記載の農業用ネット。
【請求項６】
前記糸状体を編むまたは織ることで網状に形成され、
前記遮光テープと前記フィルムのうち少なくとも一方が、網目によって保持された
請求項５に記載の農業用ネット。
【請求項７】
被覆材で被覆された栽培施設の内部において、前記被覆材に沿って配置された農業用ハウスの内張りカーテンであって、
請求項１乃至請求項６のうちのいずれかに記載の農業用ネットで構成され、
前記熱反射部が栽培作物側となる向きで配置された
農業用ハウスの内張りカーテン。
【発明の詳細な説明】
【技術分野】
【０００１】
この発明は、遮熱性を有する農業用ネット及び当該農業用ネットにより構成された農業用ハウスの内張りカーテンに関する。
【背景技術】
【０００２】
従来から、栽培作物の収穫の安定化や周年栽培のために、被覆材を栽培作物に被覆するハウス栽培やトンネル栽培等の施設栽培が盛んに行われている。このような施設栽培では、施設内部の栽培作物に適した明るさを確保するとともに、生育適温を維持する必要がある。
【０００３】
しかし、施設栽培では、日中には、太陽や気温等の影響で施設内部が栽培作物の生育適温を超える場合があり、特に高温期においては、太陽光や高温を原因とする焼けや病害等が栽培作物に発生するおそれが高まる。  
逆に夜間には、施設内部が栽培作物の生育適温を下回る場合があり、特に低温期においては、凍害、霜害、または病害等が栽培作物に発生するおそれが高まるといった問題があった。
【０００４】
そこで、栽培作物に被覆することで施設内部の栽培作物に適した明るさを確保するとともに、生育適温を維持することができる様々な農業用ネットが提案されている。  
例えば、特許文献１には、帯状の遮光性テープと帯状の吸湿性テープとを並列に配置して経糸とするとともに、合成繊維を緯糸として織った織物である農業用ネットを農業用ハウスの内側に展張することで、栽培作物の生育適温を維持することができる農業用ハウスの内張りカーテン（以下において単に「内張りカーテン」という。）が開示されている。
【０００５】
この特許文献１に記載の農業用ネットは、長繊維フィラメントを蓄積接合した不織布を帯状に形成した遮光性テープと、ポリビニルアルコール等の親水性素材を帯状に形成した吸湿性テープとを栽培作物に適した配列で並列配置して経糸とするとともに、モノフィラメント等の合成繊維を緯糸として所望の織密度で織ることによって構成されている。
【０００６】
このような農業用ネットを農業用ハウス内に展張した内張りカーテンは、農業用ネットの遮光性、遮熱性及び気密性によって、内張りカーテンの内側で栽培される栽培作物に適した明るさ、生育適温を維持することができるとされている。
【０００７】
詳述すると、特許文献１に記載の内張りカーテンは、日中においては、遮光性と遮熱性を有する遮光性テープを適宜の間隔で配置しているため、農業用ハウス内の栽培作物に適した明るさを確保できるとともに、日光を取り入れることで生じる過度な昇温を抑制することができ、内張りカーテンの内側を栽培作物の生育適温に維持することができるとされている。
【０００８】
しかしながら、夜間においては、特許文献１に記載の内張りカーテンを構成する農業用ネットは、所望の織密度で織られ、通気が抑制されることで農業用ハウス内から熱が拡散することを防止しているものの、農業用ハウス内の降温を防止することはできない。
【０００９】
つまり、特許文献１に記載の内張りカーテンでは、日中においては、農業用ハウス内の過度な昇温を防止し、生育適温を維持することができても、夜間においては、農業用ハウス内が過度に降温し生育適温を下回ってしまうおそれがあった。
【先行技術文献】
【特許文献】
【００１０】
【特許文献１】特開２００１−１３６８４３号公報
【発明の概要】
【発明が解決しようとする課題】
【００１１】
この発明は、上述した問題を鑑み、栽培作物に被覆することで生育適温を維持することができる農業用ネット及び農業用ハウスの内張りカーテンを提供することを目的とする。
【課題を解決するための手段】
【００１２】
この発明は、糸状体で構成された網状の農業用ネットであって、所望の幅に形成された遮光性を有する遮光テープが、複数本並列に配置されるとともに、前記遮光テープの少なくとも片面側に、前記遮光テープよりも熱反射率の高い熱反射部が備えられたことを特徴とする。  
【００１３】
前記糸状体は、モノフィラメントや紡績糸などで構成されていてもよく、フィラメント糸や複合糸などでもよい。  
前記農業用ネットは、前記糸状体を網状に編んだ編物や織った織物で構成してもよいし、前記糸状体を溶着することで網状に構成してもよい。また、前記糸状体によって構成された糸や紐等と前記糸状体とのうち少なくとも一方で編んだ編物、または織った織物であってもよい。
【００１４】
前記遮光テープは、不織布、編物、または織物等で形成されていてもよいし、例えば、繊維を熱と圧力によって結合した不織布や、エアジェット法やローラー法により形成された不織布等でもよい。また、前記遮光テープが遮熱性を有していてもよい。
【００１５】
また、前記遮光テープは、編み込まれる、織り込まれる、または挟まれることで前記農業用ネットに直接保持されてもよいし、前記農業用ネットに前記遮光テープが貼り付けられてもよく、前記農業用ネットとは別の部材で構成されたテープ保持部によって前記遮光テープが保持されるように構成してもよい。
【００１６】
前述の複数本並列に配置されとは、所定の間隔を隔てて配置してもよいし、密着させて配置してもよい。また、所定の間隔を隔てて前記遮光テープを配置している領域、密着させて配置している領域、及び前記遮光テープを配置しない領域のうち少なくとも一つの領域があってもよい。  
さらに、前記遮光テープの配列に規則性があってもよいし、ランダムであってもよい。
【００１７】
前記熱反射部は、前記遮光テープより熱反射率が高ければよく、金属皮膜や金属テープ等で構成されてもよい。また、前記遮光テープの全部または一部に対して一体に設けられてもよく、前記遮光テープに対して別部材で備えられてもよい。  
前述の少なくとも片面側にとは、前記遮光テープの片面側、もしくは両面の少なくとも一部に前記熱反射部が備えられる場合をいう。
【００１８】
この発明により、前記農業用ネットを、栽培作物に被覆することで生育適温を維持することができる。  
詳述すると、日中には、前記農業用ネットで栽培作物を被覆することで、前記農業用ネットの遮光性及び遮熱性によって、栽培作物に適した明るさを確保するとともに生育適温を維持し、栽培作物の焼けや病害等を防止することができる。
【００１９】
しかし、外気温が低下する夜間には、日中に暖められた栽培作物や土壌の表面等が外気温より高温となり放射冷却を起こすため、生育適温を下回るおそれがある。  
この放射冷却とは、相対的に高温の物体が、周囲に電磁波、特に赤外線として熱エネルギーを放射し冷却される現象のことである。熱エネルギーは熱反射を起こす部材によって反射することができるため、放射冷却により放射される熱エネルギーも反射することができる。
【００２０】
そこで、栽培作物を被覆する前記農業用ネットに、前記遮光テープよりも熱反射率の高い前記熱反射部を備えることで、夜間において、外気温より高温となる栽培作物や土壌の表面等が放射冷却により放射する熱エネルギーを、前記農業用ネットが効率よく栽培作物側に向かって反射することができ、前記農業用ネット外部への熱の拡散を抑制し、生育適温を下回ることを防止することができる。  
このため、前記農業用ネットは、外気温の高い日中のみならず外気温が低下する夜間においても栽培作物に被覆することで生育適温を維持することができる。
【００２１】
この発明の態様として、前記糸状体のうち少なくとも一部が透光性を備えた透光性糸状体で構成されてもよい。  
この発明により、前記農業用ネットの有する遮光性を栽培作物に適したものにするために、前記農業用ネットにより多くの前記遮光テープを配置することで、前記農業用ネットがより多くの前記熱反射部を備えることができ、前記農業用ネットを栽培作物に被覆することでより確実に生育適温を下回ることを防止することができる。
【００２２】
詳述すると、前記農業用ネットの遮光性は、前記農業用ネットを構成する前記糸状体と前記遮光テープとのそれぞれの遮光性によって決定される。  
したがって、栽培作物に適した遮光性を有する前記農業用ネットを構成するためには、不透光性の糸状体で構成した前記農業用ネットよりも、前記透光性糸状体で構成した前記農業用ネットのほうが前記農業用ネット自体の遮光性が向上するため、より多くの前記遮光テープを配置することとなる。
【００２３】
より多くの前記遮光テープが配置されたことにともなって、前記遮光テープに備えられた前記熱反射部の面積も増大することができ、夜間において低下する外気温よりも高温となる栽培作物や土壌の表面等が放射する熱エネルギーをより作物側に反射することができる。
【００２４】
したがって、栽培作物に被覆する前記農業用ネットにおける前記熱反射部の面積が増加することで、栽培作物や土壌の表面等が放射する熱エネルギーを、より効率的に栽培作物側に反射することができ、前記農業用ネットを被覆することでより確実に育成適温を下回ることを防止することができる。
【００２５】
またこの発明の態様として、前記糸状体のうち少なくとも一部が紡績糸で構成され、前記紡績糸のうち少なくとも一部が栽培作物側に配置されてもよい。  
前記紡績糸は、一種類の短繊維を紡いで構成してもよいし、複数の種類の短繊維を紡いで構成してもよい。また、前記紡績糸を構成する短繊維は、合成繊維であってもよいが、動物性繊維や植物性繊維等の吸湿性のよい繊維であるとより望ましい。
【００２６】
この発明により、前記農業用ネットを被覆することで、前記紡績糸の吸湿性によって栽培作物の多湿による病害や落滴を防止することができる。  
詳述すると、短繊維を紡いで糸状となるように構成した前記紡績糸は、糸状の内部に空間を有するともに、外表面が凹凸状に形成されているため、大気中の水分を吸収し保持することができる。つまり、前記紡績糸は吸湿性を有する。
【００２７】
このため、前記紡績糸が配置された栽培作物側の湿度が高くなると、前記紡績糸が吸湿し、栽培作物に適した湿度を超えないようにすることができる、また、多湿による病害や前記農業用ネットに付着した水滴が栽培作物に落下する落滴によって、栽培作物が損傷等することを防止することができる。  
また、例えば、吸湿性のよい繊維を紡いで前記紡績糸を形成する場合は吸湿性が向上するため、より確実に多湿による病害や落滴を防止することができる。
【００２８】
またこの発明の態様として、前記熱反射部が、前記遮光テープの少なくとも片面に成膜された金属皮膜によって構成されてもよい。  
前記金属皮膜は、蒸着またはスパッタリング等によって形成されてもよく、金属または半金属の皮膜、金属または半金属の酸化物の皮膜、あるいは金属または半金属の窒化物の皮膜等で構成されてもよい。
【００２９】
この発明により、前記遮光テープに対して熱反射率の高い金属皮膜を設けることで、別部材により熱反射部を設ける必要がなくなるとともに、前記遮光テープの耐久性を向上することができ、さらに金属皮膜により構成された高い熱反射率を有する前記熱反射部が、夜間において低下する外気温よりも高温となる栽培作物や地表などが放射する熱エネルギーを効率よく反射することで、前記農業用ネット外部への熱の拡散をさらに抑制することができる。  
このため、前記熱反射部を備えた前記遮光テープの製作に必要なコストが低下するとともに、前記遮光テープの耐久性を向上し、より確実に生育適温を下回ることを防止することができる。
【００３０】
またこの発明の態様として、透光性を有するナイロン製のフィルムが、前記遮光テープ同士の間のうち少なくとも一部に配置されてもよい。  
また、前記フィルムは、編み込まれる、織り込まれるまたは挟まれることで前記農業用ネットに直接保持されてもよいし、前記農業用ネットに前記フィルムが張り付けられてもよく、前記農業用ネットとは別の部材で構成されたフィルム保持部によって前記フィルムが保持されるように構成してもよい。
【００３１】
この発明により、栽培作物を被覆する前記農業用ネットの網目のうち少なくとも一部が前記フィルムによって覆われることで通気が抑制され、栽培作物に適した通気性を有するとともに、生育適温に維持された空気が網目を通じて、前記農業用ネットの栽培作物側から外側に向かって移動することによる降温を防止することができ、より高い保温効果を有することができる。
【００３２】
詳述すると、前記農業用ネットの網目のうち少なくとも一部を前記フィルムによって覆うことで、前記農業用ネットが栽培作物に適した通気性を有することができる。しかし、前記農業用ネットの前記遮光テープ同士の間を全て前記フィルムで覆う場合における前記農業用ネットの通気性は、例えば、一枚の面状の前記フィルムに、前記遮光テープを張り付ける場合と同等となる。
【００３３】
もっとも、一枚の面状の前記フィルムに、前記遮光テープを張り付けた場合には、前記遮光テープ同士の間を全て前記フィルムで覆う場合と同等の通気性を有するように構成できたとしても、栽培作物に適した通気性に設定することはできず、また前記糸状体を網状に形成することで有する柔軟性、及び耐久性が無い。
【００３４】
そのため、前記農業用ネットに配置された前記遮光テープ同士の間のうち少なくとも一部を前記フィルムで覆うことによって、前記農業用ネットが栽培作物に適した通気性を有するとともに、より高い保温効果を有するのみならず、高い柔軟性、及び耐久性をも有することができる。
【００３５】
また、前記フィルムを形成するナイロンは吸湿性を有するので、前記農業用ネットを被覆する栽培作物に適した湿度を超えることをより確実に防止することができ、栽培作物の多湿による病害の発生や落滴をより確実に防止することができる。
【００３６】
またこの発明の態様として、前記糸状体を編むまたは織ることで網状に形成され、前記遮光テープと前記フィルムのうち少なくとも一方が、網目によって保持されてもよい。  
前述の前記糸状体を編むまたは織ることで網状に形成されとは、前記農業用ネットが前記糸状体によって網状に形成されていればよく、前記糸状体によって構成された糸や紐等と前記糸状体とのうち少なくとも一方で編んだ編物、または織った織物が網状に構成されていてもよい。
【００３７】
なお、前記遮光テープまたは前記フィルムのうち少なくとも一方と前記糸状体とで編物または織物を形成してもよい。
【００３８】
前記編むとは、例えば経編や緯編、詳しくは鎖編、ラッセル、またはトリコット等でもよく、前記織るとは、例えば平織、綾織、繻子織、絡み織等であってもよい。  
【００３９】
また、織ることで網状に形成される場合には、前記遮光テープと前記フィルムのうち少なくとも一方を経糸のうち少なくとも一本として織る場合も含み、前記遮光テープまたは前記フィルムのうち少なくとも一方を、経糸のうち少なくとも一本として織ることによって緯糸で保持する場合も含む。  
【００４０】
この発明により、前記農業用ネットを、前記糸状体を編んだ編物または織った織物によって網状に構成することで、前記糸状体同士が固着することなく網状を構成できるため、柔軟性及び耐久性に優れた前記農業用ネットを構成できる。
【００４１】
また、前記遮光テープと前記フィルムのうち少なくとも一方を編物または織物で構成された前記農業用ネットの網目によって保持することができるため、前記遮光テープと前記フィルムのうち少なくとも一方を保持するための他の構成を必要とせず、前記農業用ネットの製作に必要なコストを低下することができる。
【００４２】
またこの発明は、栽培作物を被覆材で被覆する栽培施設の内部に配置された内張りカーテンであって、上述の農業用ネットで構成されるとともに、前記熱反射部が栽培作物側となる向きで配置されたことを特徴とする。  
前述の栽培施設の内部に配置されたとは、栽培作物を覆うように上述の農業用ネットが配置されていることをいう。
【００４３】
この発明によって、前記内張りカーテンは栽培作物の生育適温を維持することができる。  
詳述すると、日中には、前記栽培施設の内部において、前記農業用ネットで構成された前記内張りカーテンが前記被覆材に沿って配置されることで、前記遮光テープの遮光性及び遮熱性によって、前記栽培施設内部の栽培作物に適した明るさを確保するとともに生育適温を維持し、栽培作物の焼けや病害を防止することができる。
【００４４】
逆に夜間には、前記栽培施設の内部に配置されるとともに、栽培作物を覆うように配置される前記内張りカーテンに備えられた前記熱反射部が、外気温より高温となる栽培作物や土壌の表面等が放射する熱エネルギーを、効率よく栽培作物側に向かって反射することで、前記内張りカーテン外部への熱の拡散を抑制することができ、生育適温を下回ることを防止することができる。  
このように、前記内張りカーテンは、栽培作物の生育適温を維持することができる。
【発明の効果】
【００４５】
栽培作物に被覆することで生育適温を維持することができる農業用ネット及び農業用ハウスの内張りカーテンを提供することができる。
【図面の簡単な説明】
【００４６】
【図１】農業用ネットの一部の概略平面図。
【図２】農業用ネットの構成の説明図。
【図３】遮熱テープ近傍における組織の説明図。
【図４】内張りカーテンを展張した農業用ハウスの概略斜視図。
【図５】内張りカーテンの説明図。
【図６】他の実施形態における農業用ネットの説明図。
【図７】他の実施形態の遮熱テープ近傍における組織の説明図。
【発明を実施するための形態】
【００４７】
この発明の一実施形態を以下図面とともに説明する。  
図１は、農業用ネット１の一部の概略平面図を示し、図２は、農業用ネットの構成について説明する説明図を示し、図３は、農業用ネット１における遮光テープ１１近傍の組織について説明する説明図を示し、図４は、内張りカーテン２を展張した農業用ハウス３の概略斜視図を示し、図５は、内張りカーテン２として展張した農業用ネット１の説明図を示す。
【００４８】
詳述すると、図２（ａ）は、農業用ネット１の編地６の概略拡大平面図を示し、図２（ｂ）は、遮光テープ１１の概略構造の斜視図を示している。  
また、図３（ａ）は、農業用ネット１における遮光テープ１１及びフィルム１２が編み込まれている部分の拡大平面図を示し、図３（ｂ）は、農業用ネット１の網目２０に保持される遮光テープ１１及びフィルム１２について説明すべく、図３（ａ）におけるＡ−Ａ矢視断面図を示し、図３（ｃ）は、農業用ネット１の網目２０に保持される遮光テープについて説明すべく、図３（ａ）におけるＢ−Ｂ矢視断面図を示している。
【００４９】
そしてまた、図５（ａ）は、農業用ネット１を内張りカーテン２として展張した状態における農業用ハウス３の概略縦断面図を示し、図５（ｂ）は、栽培作物４に対して内張りカーテン２として展張した農業用ネット１の作用を説明する、農業用ハウス３の概略拡大縦断面図である。
【００５０】
なお、図１に示すように、農業用ネット１を広げた際の緯方向を緯方向ｘとし、経方向を経方向ｙとする。また、図３に示すように、農業用ネット１の厚さ方向を厚さ方向ｚとする。また、図４に示すように、農業用ハウス３における幅方向を幅方向Ｘとし、奥行方向を奥行方向Ｙとし、高さ方向を高さ方向Ｚとする。
【００５１】
図１に示すように、農業用ネット１は、略菱形形状の網目２０を有する網状に形成した編物である編地６に、遮光テープ１１とフィルム１２とを配置することで構成している。
【００５２】
なお、図１、図２、及び図３におい、網目２０の構成を理解しやすくするために、破線で囲って示している。また、本実施形態では、網目２０の目合は４ｍｍ程度に形成しているが、これに限定されない。
【００５３】
図２（ａ）に示すように、網状の編地６は、糸状体５を編込んで網目２０を有する網状に形成した編物であり、糸状体５を鎖編することで形成した鎖編糸５０の編目１０に、糸状体５である挿入糸５１を挿入することで網状の編地６を構成している。  
この鎖編糸５０は、糸状体５を巻回して、編目１０を形成しながら経方向ｙに伸び、経方向ｙに所定の間隔を隔てて複数の編目１０を形成している。
【００５４】
そして、所定の間隔を隔て緯方向ｘに向かって等間隔かつ並列に配置する鎖編糸５０を、複数本の挿入糸５１によって掛止することで略菱形形状の網目２０を形成するとともに、編地６を編成している。
【００５５】
具体的には、並列に配置された鎖編糸５０を掛止する複数本の挿入糸５１は、隣に配置される鎖編糸５０における経方向ｙに５ｍｍ程度の間隔を隔てた編目１０に、交互に挿入して折り返すことで各々が波状に屈曲している。
【００５６】
挿入するとともに波状に屈曲する挿入糸５１は、網状の編地６の表側に配置される表側挿入糸５１０と裏側に配置される裏側挿入糸５１１とがあり、表側挿入糸５１０と裏側挿入糸５１１とが、平面視において、経方向ｙに連なる略菱形形状の網目２０を形成するように、各々の波形を互い違いに配置している。なお、本実施形態では、農業用ネット１の裏側を、農業用ネット１で被覆する栽培作物４の側としている。（図５（ｂ）参照）  
なお、本実施形態において、鎖編糸５０の編目１０を隔てる間隔は５ｍｍ程度に設定し、鎖編糸５０を並列に配置する間隔は５ｍｍ程度に設定しているが、これに限定されない。
【００５７】
糸状体５のうち、鎖編糸５０と表側挿入糸５１０とは耐久性に優れたモノフィラメント５００によって形成され、裏側挿入糸５１１は吸湿性のある紡績糸５０１によって形成されている。  
鎖編糸５０と表側挿入糸５１０を形成するモノフィラメント５００は、透光性を有するポリエチレン繊維によって直径０．１ｍｍ程度に形成され、裏側挿入糸５１１を形成する紡績糸５０１は、吸湿性の有る繊維を紡いで直径０．１ｍｍ程度に形成されている。なお、本実施形態では、モノフィラメント５００、及び紡績糸５０１は直径０．１ｍｍ程度に形成されているが、これに限定されない。
【００５８】
編地６と後述するフィルム１２とともに農業用ネット１を構成する遮光テープ１１は、図２（ｂ）に示すように白色の不織布１１０と熱反射部１１１とを積層して構成している。  
遮光テープ１１を構成する不織布１１０は、０．５μｍ〜１０μｍ程度のポリエチレンの極細長繊維に対して熱と圧力を加えて結合された厚さ０．２ｍｍ程度の白色の不織布で構成されている。このような不織布には、デュポン社の「タイベック（登録商標）」を用いてもよい。
【００５９】
また、熱反射部１１１は、不織布１１０の片面に蒸着したアルミニウムの金属皮膜によって、不織布１１０よりも薄く形成している。  
編地６と遮光テープ１１とともに農業用ネット１を構成するフィルム１２は、吸湿性と保温性と透光性とを有するナイロンフィルムによって構成されており、フィルム１２は遮光テープ１１と略同程度の厚さで形成している。なお、遮光テープ１１を構成する不織布１１０、及び熱反射部１１１、並びにフィルム１２の厚さは、これに限定されない。
【００６０】
このように構成された農業用ネット１は、図３に示すように、緯方向ｘに所定の間隔を隔てて並列に配置した鎖編糸５０同士の間に遮光テープ１１、及びフィルム１２を交互に配置するとともに、鎖編糸５０と挿入糸５１とで形成される略菱形形状の網目２０によって遮光テープ１１、及びフィルム１２を保持している。
【００６１】
詳述すると、図３（ａ）、及び図３（ｂ）に示すように、遮光テープ１１とフィルム１２とを、鎖編糸５０を並列に配置する間隔と略同程度である５ｍｍ程度の幅で帯状に形成するとともに、鎖編糸５０同士の間に配置している。
【００６２】
また、図３（ｂ）、及び図３（ｃ）に示すように、鎖編糸５０同士の間に配置される遮光テープ１１とフィルム１２とを厚さ方向ｚから挟むように、表側挿入糸５１０と裏側挿入糸５１１とを農業用ネット１の表側と裏側にそれぞれ配置している。
【００６３】
上述のように、農業用ネット１は、遮光テープ１１とフィルム１２とが、緯方向ｘに並列に配置された鎖編糸５０同士の間に交互に配置されるとともに、表側挿入糸５１０と裏側挿入糸５１１とによって挟まれるように配置されている。
【００６４】
このように遮光テープ１１とフィルム１２とを配置することで、鎖編糸５０と挿入糸５１とによって形成される網目２０によって、遮光テープ１１とフィルム１２とが挟み込まれて動きを規制され、農業用ネット１から外れたり、捻じれたりするなどによって破損等することを防止することができる。
【００６５】
また、農業用ネット１を編成する表側挿入糸５１０を耐久性に優れたモノフィラメント５００で構成し、裏側挿入糸５１１を吸湿性のある紡績糸５０１で構成することで、優れた耐久性を有するとともに吸湿性を有する農業用ネット１を構成することができる。
【００６６】
詳述すると、農業用ネット１の裏側に配置される裏側挿入糸５１１を吸湿性のある紡績糸５０１で構成することで、湿度が高くなった場合に、吸湿性を有する裏側挿入糸５１１によって吸湿され、多湿による病害や落適を抑制することができる。
【００６７】
また、農業用ネット１を構成する編地６の挿入糸５１を全て紡績糸５０１で構成すると、紡いで形成した紡績糸５０１が解れて千切れる等のおそれがあり、耐久性が低下するおそれがある。  
そのため、農業用ネット１の表側に配置される表側挿入糸５１０を耐久性の優れたモノフィラメント５００で構成することで、例えば、紡績糸５０１が解れたとしても農業用ネット１がばらけることのない優れた耐久性を有することができ、
優れた耐久性を有するとともに、吸湿性を有する農業用ネット１を構成することができる。
【００６８】
図４に示すように、上述の農業用ネット１は、農業用ハウス３内の上部にカーテンのように展張して使用する内張りカーテン２として利用することができる。  
詳述すると、農業用ハウス３は、ハウス本体３０と内張りカーテン２とで構成され、内張りカーテン２はハウス本体３０の内側に沿って設けられている。
【００６９】
ハウス本体３０は、金属製のフレーム３１と、複数配置されたフレーム３１を連結する連結部材３２と、透光性を有しフレーム３１を被覆する外張りビニール（図示せず）とで構成される。  
フレーム３１は、ハウス本体３０の上部に配置される湾曲した弓状の弓状部３１０と、弓状部３１０の両端から高さ方向Ｚに向かって接地面まで伸びる垂直部３１１とで略逆Ｕ字状に構成され、奥行方向Ｙに所定の間隔を隔て複数本並列に配置されている。
【００７０】
弓状部３１０は、幅方向Ｘにおける中央近傍が高くなるように高さ方向Ｚの上方が凸となる半円形状に形成されており、これに伴って農業用ハウス３の屋根も半円状に形成されている。なお、農業用ハウス３の屋根を三角形状や平坦等に形成してもよい。
【００７１】
連結部材３２は、奥行方向Ｙに伸びるとともに、略逆Ｕ字状に形成され所定の間隔を隔て複数本並列に配置されたフレーム３１における各弓状部３１０及び各垂直部３１１を連結する。そして、連結部材３２がフレーム３１を一体に連結することでハウス本体３０が設けられている。なお、フレーム３１及び連結部材３２は樹脂や木材等で構成してもよい。また、連結部材３２は一つの部材で構成されていても複数の部材から構成されていてもよい。
【００７２】
連結部材３２は、複数本並列に配置された垂直部３１１のうち、幅方向Ｘにおいて同じ側に配置されるもの同士の上端側を連結する二本の上端連結部３２０と、各弓状部３１０の頂部同士を連結する棟部３２１との合計三本が設けられている。なお、フレーム３１を連結する連結部材３２が三本設けられているが、一本または複数本でもよい。
【００７３】
図示省略する外張りビニールは、透光性を備えるとともに雨風を防ぐ保温効果のあるビニールシートで形成されている。なお、外張りビニールは、樹脂やガラス等透光性があり保温効果のある素材で形成していればよく、通気性を確保するために一部を網状の別部材で形成してもよい。
【００７４】
奥行方向Ｙに所定の間隔を隔て複数本並列に配置されるフレーム３１のうち奥行方向Ｙの両端に配置されるフレーム３１には、幅方向Ｘに伸びるとともに弓状部３１０を補強する梁３１２が、高さ方向Ｚに適宜の間隔を隔て二本設けられている。また、梁３１２と直交するとともに、一番下側に配置される梁３１２と弓状部３１０とを接続する補強部材３１３が幅方向Ｘに所定の間隔を隔て複数本配置されている。なお、梁３１２の本数は一本でも複数本でもよい。
【００７５】
このように構成されたハウス本体３０には、カーテンを支持する三本のカーテン支持部３３が設けられ、カーテン支持部３３によって農業用ネット１がハウス本体３０に沿うように展張され、内張りカーテン２として機能することができる。
【００７６】
カーテン支持部３３は、棟部３２１の近傍と両方の上端連結部３２０の近傍とにそれぞれ一本ずつの合計三本が、幅方向Ｘにおいて略等間隔になるように配置されるとともに、棟部３２１近傍のものほど高さ方向Ｚにおける上方となるように配置することで、カーテン支持部３３に支持される農業用ネット１が農業用ハウス３に沿うように配置している。
【００７７】
棟部３２１の近傍に配置されるカーテン支持部３３は、棟部３２１に設けられたカーテン支持部３３を保持する保持部３３０と補強部材３１３とによって保持されている。  
また、上端連結部３２０の近傍に配置されるカーテン支持部３３は、補強部材３１３と梁３１２とによって保持されている。
【００７８】
なお、本実施形態においてカーテン支持部３３は三本設けているが、一本または複数本を設けてもよい。  
また、カーテン支持部３３を配置する幅方向Ｘにおける間隔は等間隔でなくともよく、カーテン支持部３３を梁３１２と補強部材３１３と棟部３２１とのうち少なくともひとつで保持するように構成してもよい。そして、上端連結部３２０の近傍に配置されるカーテン支持部３３を保持する保持部３３０を、上端連結部３２０に設けてもよい。
【００７９】
さらにまた、カーテン支持部３３は複数の別部材により構成しているが、連結部材３２によって内張りカーテン２を保持できるように構成してもよいし、カーテン支持部３３及び連結部材３２のうち少なくとも一方で内張りカーテン２を保持できるように構成してもよい。
【００８０】
各カーテン支持部３３には、農業用ネット１を保持するネット保持部３３１が、奥行方向Ｙに所定の間隔を隔てるとともに複数個備えられており、備えられたネット保持部３３１によって農業用ネット１を保持している。
【００８１】
このように構成された農業用ハウス３は、図５（ａ）に示すように、農業用ハウス３の内側に沿って、農業用ネット１を内張りカーテン２として展張することで、農業用ネット１によって栽培作物４を被覆することができる。
【００８２】
詳述すると、図５（ｂ）に示すように、農業用ネット１に設けられた熱反射部１１１を栽培作物４の側に向けて配置し展張しているため、栽培作物４や土壌の表面等から農業用ハウス外に向けて放たれる熱エネルギーＨＥを農業用ハウス内に向かって反射することができる。
【００８３】
このように構成された農業用ネット１は、糸状体５を網状に編成することで構成され、所望の幅に形成された遮光テープ１１が、複数本並列に配置されるとともに、遮光テープ１１の少なくとも片面側に、遮光テープ１１よりも熱反射率の高い熱反射部１１１が備えられているため、農業用ネット１を、栽培作物４に被覆することで生育適温を維持することができる。
【００８４】
詳述すると、日中には、農業用ネット１で栽培作物４を被覆することで、農業用ネット１の遮光性及び遮熱性によって、栽培作物４に適した明るさを確保するとともに生育適温を維持し、栽培作物４の焼けや病害を防止することができる。
【００８５】
しかし夜間には、栽培作物４を被覆する農業用ネット１に、遮光テープ１１よりも熱反射率の高い熱反射部１１１を備えることで、外気温より高温となる栽培作物４や土壌の表面等が放射する熱エネルギーＨＥを、農業用ネット１が効率よく栽培作物４の側に向かって反射することができ、農業用ネット１の外部への熱の拡散を抑制し、生育適温を下回ることを防止することができる。  
このため、農業用ネット１を、栽培作物４に被覆することで生育適温を維持することができる。
【００８６】
また、糸状体５である鎖編糸５０、及び表側挿入糸５１０が透光性を備えることで、農業用ネット１がより多くの熱反射部１１１を備えることができ、農業用ネット１を栽培作物４に被覆することでより確実に生育適温を下回ることを防止することができる。
【００８７】
詳述すると、農業用ネット１の遮光性は、農業用ネット１を構成する糸状体５と遮光テープ１１とのそれぞれの遮光性によって決定される。  
したがって、栽培作物４に適した遮光性を有する農業用ネット１を構成するためには、不透光性の糸状体で構成した農業用ネットより１も、透光性糸状体で構成した農業用ネット１のほうが、農業用ネット１自体の透光性は向上するため、より多くの遮光テープ１１を配置することとなる。
【００８８】
より多くの遮光テープ１１が配置されたことにともなって、遮光テープ１１に備えられた熱反射部１１１の面積も増大することができ、夜間において低下する外気温よりも高温となる栽培作物４や土壌の表面等が放射する熱エネルギーＨＥをより作物側に反射することができる。
【００８９】
したがって、栽培作物４に被覆する農業用ネット１における熱反射部１１１の面積が増加することで、栽培作物４や土壌の表面等が放射する熱エネルギーＨＥを、より効率的に栽培作物４の側に反射することができ、農業用ネット１を被覆することでより確実に育成適温を下回ることを防止することができる。
【００９０】
また、糸状体５である裏側挿入糸５１１が紡績糸５０１で構成され、紡績糸５０１のうち少なくとも一部が栽培作物４の側に配置されているため、紡績糸５０１の吸湿性によって栽培作物の多湿による病害や落滴を防止することができる。
【００９１】
詳述すると、短繊維を紡いで糸状となるように構成した紡績糸５０１は、糸状の内部に空間を有するともに、外表面が凹凸状に形成されているため、大気中の水分を吸収し保持することができる。つまり、紡績糸５０１は吸湿性を有する。
【００９２】
このため、紡績糸５０１が配置された栽培作物４の側の湿度が高くなると、紡績糸５０１が吸湿し、栽培作物に適した湿度を超えないようにすることができる。また、多湿による病害や農業用ネット１に付着した水滴が栽培作物に落下する落滴によって、栽培作物４が損傷等することを防止することができる。
【００９３】
また、熱反射部１１１が、遮光テープ１１の片面にアルミ蒸着によるアルミ皮膜によって設けられているため、別部材により熱反射部１１１を設ける必要がなくなるとともに、遮光テープ１１の耐久性を向上することができ、さらにアルミ皮膜により構成された高い熱反射率を有する熱反射部１１１が、夜間において外気温より高温となる栽培作物や土壌の表面等が放射する熱エネルギーＨＥを効率よく反射することで、農業用ネット１の外部への熱の拡散をさらに抑制することができる。  
このため、熱反射部１１１を備えた遮光テープ１１の製作に必要なコストを低下するとともに、遮光テープ１１の耐久性を向上し、さらに確実に生育適温を下回ることを防止することができる。
【００９４】
また、透光性を有するナイロン製のフィルム１２が、遮光テープ１１同士の間に配置されているため、栽培作物４を被覆する農業用ネット１の網目２０が、フィルム１２によって覆われることで通気を抑制され、生育適温に維持された空気が網目２０を通じて、農業用ネット１における栽培作物４の側から外側に向かって移動することによる降温を防止することができ、より高い保温効果を有することができる。
【００９５】
詳述すると、農業用ネット１の網目２０のうち少なくとも一部をフィルム１２によって覆うことで、農業用ネット１が栽培作物４に適した通気性を有することができる。しかし、農業用ネット１の遮光テープ１１同士の間を全てフィルム１２で覆う場合における農業用ネット１の通気性は、例えば、一枚の面状のフィルム１２に、遮光テープ１１を張り付ける場合と同等となる。
【００９６】
もっとも、一枚の面状のフィルム１２に、遮光テープ１１を張り付けた場合には、遮光テープ１１同士の間を全てフィルム１２で覆う場合と同等の通気性を有するように構成できたとしても、栽培作物４に適した通気性に設定することはできず、また糸状体５を網状に形成することで有する柔軟性、及び耐久性が無い。
【００９７】
そのため、前記農業用ネットに配置された前記遮光テープ同士の間のうち少なくとも一部を前記フィルムで覆うことによって、前記農業用ネットが栽培作物４に適した通気性を有するとともに、より高い保温効果を有するのみならず、高い柔軟性、及び耐久性をも有することができる。
【００９８】
また、フィルム１２が吸湿性を有するナイロンによって形成されているため、フィルム１２が吸湿し、農業用ネット１を被覆する栽培作物４に適した湿度を超えることをより確実に防止する。このため、栽培作物４の多湿による病害の発生や落滴をより確実に防止することができる。
【００９９】
また、糸状体５を編むことで農業用ネット１が網状に形成され、遮光テープ１１とフィルム１２が、網目２０によって保持されているため、農業用ネット１が柔軟性及び耐久性に優れるとともに、遮光テープ１１とフィルム１２とを保持するための他の構成を必要とせず、農業用ネット１の製作に必要なコストを低下することができる。
【０１００】
詳述すると農業用ネット１を、糸状体５を編んだ編物によって網状に構成することで、糸状体５同士が固着することなく網状を構成できるため、柔軟性及び耐久性に優れた農業用ネット１を構成できる。
【０１０１】
また、遮光テープ１１と前記フィルム１２とを編物で構成された農業用ネット１の網目２０によって保持することができるため、遮光テープ１１と前記フィルム１２を保持するための他の構成を必要とせず、農業用ネット１の製作に必要なコストを低下することができる。
【０１０２】
また、外張りビニールで被覆された農業用ハウス３の内部において、外張りビニールに沿って配置された内張りカーテン２として、上述の農業用ネット１を熱反射部１１１が栽培作物４の側となる向きで展張することで、内張りカーテン２は、栽培作物４の生育適温を維持することができる。
【０１０３】
詳述すると、日中には、農業用ハウス３の内部において、農業用ネット１で構成された内張りカーテン２が被覆材に沿って配置されることで、遮光テープ１１の遮光性及び遮熱性によって、農業用ハウス３の内部の栽培作物４に適した明るさを確保するとともに生育適温を維持し、栽培作物の焼けや病害を防止することができる。
【０１０４】
逆に夜間には、農業用ハウス３の内部に配置されるとともに、栽培作物４を被覆する内張りカーテン２に備えられた熱反射部１１１が、外気温より高温となる栽培作物４や土壌の表面等が放射する熱エネルギーＨＥを、効率よく栽培作物４の側に向かって反射することで、内張りカーテン２外部への熱の拡散を抑制することができ、生育適温を下回ることを防止することができる。  
このように、内張りカーテン２は、栽培作物４の生育適温を維持することができる。
【０１０５】
この発明の構成と上述の実施形態の対応において、
この発明の金属皮膜は、熱反射部に対応し、
栽培施設は、農業用ハウスに対応し、
被覆材は、外張りビニールに対応するが、
この発明は、上述の実施形態の構成のみに限定されるものではなく、多くの実施の形態を得ることができる。
【０１０６】
また、上述の説明において、遮光テープ１１は、ポリエチレンの極細長繊維に対して熱と圧力を加えて結合された白色の不織布１１０により構成されているが、遮光性を有していればよく、エアジェット法やローラー法等により形成された不織布でもよいし、編物や織物で形成されていてもよく、遮光性を有するビニルテープによって形成されていてもよい。
【０１０７】
そしてまた、遮光テープ１１が遮熱性を有していてもよいし、何色に染色されていてもよい。なお、遮光テープ１１が遮熱性を有する、または遮光テープ１１を白色に近い色で構成する場合には、遮光テープ１１の熱吸収率が低くなる。このため、遮光テープ１１が蓄熱することで遮光テープ１１の近傍が過度に昇温し生育適温を超えたり、遮光テープ１１が損傷したりするというようなおそれが減少するため望ましい。
【０１０８】
また、上述の説明において、遮光テープ１１が農業用ネット１の網目２０によって直接保持されているが、農業用ネット１に遮光テープ１１が貼り付けられてもよく、前記農業用ネットとは別の部材で構成されたテープ保持部によって前記遮光テープが保持されるように構成してもよい。
【０１０９】
また、上述の説明において、熱反射部１１１が遮光テープ１１と一体に設けられているが、遮光テープ１１に対して別部材によって熱反射部１１１が備えられてもよく、例えば、熱反射率の高い素材を遮光テープ１１と同形状に形成した熱反射テープを遮光テープ１１の裏表のうち少なくとも一方側に沿って配置し、遮光テープとともに農業用ネット１の網目２０に保持されるように構成してもよい。
【０１１０】
また、上述の説明において、紡績糸５０１は、吸湿性のある一種類の短繊維を紡いで構成しているが、複数の種類の短繊維を紡いで構成してもよく、合成繊維を紡いで構成してもよいし、動物性繊維や植物性繊維等の繊維を紡いで構成してもよい。
【０１１１】
また、上述の説明において、熱反射部１１１が、遮光テープ１１の片面に設けられているが、遮光テープ１１の両面に設けられてもよい。これにより、遮光テープ１１よりも熱反射率の高い熱反射部１１１によって、栽培作物４に被覆する農業用ネット１が、農業用ネット１の外側からの熱を反射することで、農業用ネット１の栽培作物４の側の昇温を防止することができる。
【０１１２】
そして、熱反射部１１１は、アルミニウムを蒸着することによって形成されているが、スパッタリング等によって形成されてもよく、その他の金属または半金属、金属または半金属の酸化物、あるいは金属または半金属の窒化物等で形成されてもよい。
【０１１３】
また、上述の説明において、遮光テープ１１とフィルム１２との幅を、鎖編糸５０を配置する間隔である５ｍｍに形成しているが、遮光テープ１１とフィルム１２との幅は鎖編糸５０同士の間に配置可能であればよい。
【０１１４】
そして、鎖編糸５０を配置する間隔とは同程度に設定することが望ましく、鎖編糸５０を配置する間隔は２ｍｍ以上１０ｍｍ以下に設定することが望ましい。さらに、遮光テープ１１とフィルム１２との幅を略同程度に形成するとなお望ましい。
【０１１５】
詳述すると、遮光テープ１１とフィルム１２との幅を、鎖編糸５０を配置する間隔と同程度に設定することで、網状の編地６の鎖編糸５０同士の間に遮光テープ１１とフィルム１２とを配置した場合に生じる、遮光テープ１１、及びフィルム１２と鎖編糸５０との間に生じる隙間を減少させることができる。このため、農業用ネット１の通気がさらに抑制され、農業用ネット１がさらに高い保温効果を有することができる。
【０１１６】
また、鎖編糸５０を配置する間隔が２ｍｍ未満の場合には、鎖編糸５０同士の間に配置される遮光テープ１１、及びフィルム１２の幅も２ｍｍ未満となり、細くなりすぎることで遮光テープ１１、及びフィルム１２が捻じれたり千切れたりする等によって破損する等といったおそれがあり、前記遮光テープの耐久性が低下するおそれがある。
【０１１７】
そして、鎖編糸５０を配置する間隔が、１０ｍｍを超える場合には、並列に配置される鎖編糸５０が離れることで、農業用ネット１の耐久性が低下するおそれがある。  
したがって、遮光テープ１１とフィルム１２との幅は、鎖編糸５０を配置する間隔と同程度に設定することで、農業用ネット１がより高い保温効果を有することができるため望ましく、鎖編糸５０を配置する間隔は、２ｍｍ以上１０ｍｍ以下に設定することで農業用ネット１が耐久性を有するため望ましい。
【０１１８】
さらに、遮光テープ１１とフィルム１２との幅を同程度に形成することで、農業用ネット１が栽培作物４に適した遮光性を有するように、遮光テープ１１とフィルム１２とを所望の配列で容易に編むことができる。
【０１１９】
詳述すると、遮光テープ１１とフィルム１２との幅を同程度に形成することで、鎖編糸５０同士の間に配置される遮光テープ１１とフィルム１２との配列を変更する場合において、遮光テープ１１の幅とフィルム１２の幅とに合わせて鎖編糸５０を配置する間隔を変更する必要がなく、遮光テープ１１とフィルム１２との配列毎に異なった編み方をする必要がない。
【０１２０】
このため、農業用ネット１が所望の遮光性を有するために、遮光テープ１１とフィルム１２との配列を変更しても同様に農業用ネット１を編むことができ、利便性が向上することができるため、なお望ましい。
【０１２１】
また、上述の説明において、挿入糸５１は、隣に配置される鎖編糸５０の編目１０に交互に挿入し掛止しているが、隣に配置していない鎖編糸５０の編目１０に挿入糸５１を挿入し掛止してもよく、二本以上の鎖編糸５０にわたって挿入糸５１を編目１０に挿入し掛止していればよい。  
さらにまた、挿入糸５１を挿入し掛止する編目１０を有する鎖編糸５０のパターンに規則性があってもよいし、ランダムでもよい。
【０１２２】
なお、上述の説明において、遮光テープ１１は間隔を隔てて配置しているが、遮光テープ１１同士を隣接して配置してもよい。また、遮光テープ１１を離して配置している領域と隣接して配置している領域とがあってもよいし、遮光テープ１１の配列に規則性があってもよいし、ランダムであってもよい。
【０１２３】
また、上述の説明において、遮光テープ１１とフィルム１２とが交互に配置されているが、遮光テープ１１は農業用ネット１が栽培作物４に適した遮光性を有するように配置していればよく、鎖編糸５０同士の間に、遮光テープ１１のみを配置してもよい。  
また、遮光テープ１１とフィルム１２の配置されるパターンに規則性があってもよいし、ランダムであってもよい。
【０１２４】
なお、鎖編糸５０同士の間における遮光テープ１１の配置されない部分に、吸湿性を有するフィルム１２を配置することで、多湿による病害や落滴による栽培作物４の損傷等を抑制することができ、さらに農業用ネット１の通気が抑制され、農業用ネット１がより高い保温効果を有する。
【０１２５】
また、上述の説明において、フィルム１２は、編み込まれることで網目２０によって農業用ネット１に直接保持されているが、農業用ネット１にフィルム１２を張り付けてもよく、農業用ネット１に別部材によって構成されたフィルム１２を保持するフィルム保持部を設け、フィルム１２が保持されるように構成してもよい。
【０１２６】
また、上述の説明において、鎖編糸５０と挿入糸５１とを経編することで編地６を編成し、編地６に遮光テープ１１とフィルム１２とを配置することで農業用ネット１を構成しているが、緯編によって編成してもよく、詳しくは鎖編、ラッセル、またはトリコット等でもよい。
【０１２７】
また、農業用ネット１を編むことで形成しているが、織ることで形成してもよく、平織、綾織、繻子織、絡み織等で形成してもよい。例えば、後述の図６、及び図７に示す農業用ネット１ｘのように、モノフィラメント５００を平織することで形成してもよい。
【０１２８】
以下、図６、及び図７に基づいて、モノフィラメント５００を織ることで構成した農業用ネット１ｘについて簡単に説明する。  
なお、以下で説明する農業用ネット１ｘの構成のうち、上述の農業用ネット１と同様の構成については、同一の符号を付して、その説明を省略する。
【０１２９】
ここで、図６は、他の実施形態における農業用ネット１ｘの概略平面図を示し、図７は、他の実施形態の遮光テープ近傍における組織の説明図を示す。  
詳述すると、図７（ａ）は、農業用ネット１ｘにおける遮光テープ１１及びフィルム１２が織り込まれている部分の拡大平面図を示し、図７（ｂ）は、農業用ネット１ｘの網目２０ｘに保持される遮光テープ１１及びフィルム１２について説明すべく、図７（ａ）におけるＡ−Ａ矢視断面図を示し、図７（ｃ）は、農業用ネット１ｘの網目２０ｘに保持される遮光テープについて説明すべく、図７（ａ）におけるＢ−Ｂ矢視断面図を示している。
【０１３０】
農業用ネット１に対応する農業用ネット１ｘは、網目２０に対応する網目２０ｘが設けられた網状の編地６に対応する織物である織地６ｘに、遮光テープ１１、及びフィルム１２を配置することで構成している。  
また、網状の織物である織地６ｘは、鎖編糸５０に対応する経糸５０ｘと挿入糸５１に対応する緯糸５１ｘを織ることで網状に形成した織物である。
【０１３１】
図６に示すように、農業用ネット１ｘは、糸状体５を平織することで略四角形形状の網目２０ｘを有する網状に織成される織地６ｘに、遮光テープ１１とフィルム１２とを配置することで構成している。  
なお、図６、及び図７において符号２０で指し示す網目２０ｘは破線で囲い支持している。
【０１３２】
網状の織地６ｘを織成する糸状体５は、経糸５０ｘと緯糸５１ｘとがあり、各々を緯方向ｘ、及び経方向ｙに１ｍｍ程度の間隔を隔てて等間隔かつ並列に配置するように平織することで織地６ｘを織成している。  
また、経糸５０ｘ、及び緯糸５１ｘはモノフィラメント５００によって形成されている。  
【０１３３】
モノフィラメント５００が形成する経糸５０ｘ、及び５１ｘを１ｍｍ程度の距離を隔てて等間隔かつ並列に配置するように平織しているため、織地６ｘに目合１ｍｍ程度の網目２０ｘが形成されている。なお、本実施形態では、経糸５０ｘ、及び緯糸５１ｘを１ｍｍの間隔を隔てて配置して平織にすることで網目２０ｘの目合いを１ｍｍ程度に形成しているが、これに限定されない。
【０１３４】
編地６に配置される遮光テープ１１とフィルム１２とは、経糸５０ｘに沿うとともに、緯方向ｘへ５ｍｍ程度の間隔を隔てて交互に配置している。  
また、遮光テープ１１とフィルム１２を配置する場所においては、経糸５０ｘとして平織されるモノフィラメント５００を配置せず、遮光テープ１１とフィルム１２とを経糸５０ｘとして平織することで、農業用ネット１ｘを形成している。
【０１３５】
このため、遮光テープ１１とフィルム１２とが配置される場所における経糸５０ｘを構成するモノフィラメント５００は、遮光テープ１１、及びフィルム１２の幅よりも広く８ｍｍ程度の間隔を緯方向ｘに隔てて配置している。
【０１３６】
このように、遮光テープ１１、及びフィルム１２並びにモノフィラメント５００を配置することで、遮光テープ１１とフィルム１２とを配置する場所における網目２０ｘの目合は、緯方向ｘの長さが遮光テープ１１とフィルム１２との幅よりも広く８ｍｍ程度に形成している。
【０１３７】
このように構成された農業用ネット１ｘは、経糸５０ｘを構成するモノフィラメント５００の間に、遮光テープ１１、及びフィルム１２を交互に配置するとともに、経糸５０ｘと緯糸５１ｘとを構成するモノフィラメント５００によって略四角形形状の網目２０によって、遮光テープ１１、及びフィルム１２を保持している。
【０１３８】
詳述すると、図７（ａ）に示すように、遮光テープ１１とフィルム１２とを、５ｍｍ程度の幅の帯状に形成するとともに、経糸５０ｘを構成するモノフィラメント５００を、遮光テープ１１とフィルム１２との緯方向ｘにおけるそれぞれの両側に沿うように配置している。
【０１３９】
このように、遮光テープ１１、フィルム１２、及びモノフィラメント５００を配置することで、遮光テープ１１とフィルム１２とが、モノフィラメント５００によって緯方向ｘから挟まれることとなり、緯方向ｘへの動きが規制され、緯方向ｘにずれることを防止することができる。
【０１４０】
また、図７（ｂ）、及び図７（ｃ）に示すように、モノフィラメント５００の間に配置される遮光テープ１１とフィルム１２とを、厚さ方向ｚから挟むように網目２０ｘによって保持している。
【０１４１】
詳述すると、図７（ｂ）に示すように、緯糸５１ｘを構成するモノフィラメント５００は波状に屈曲し、経糸５０ｘを構成する遮光テープ１１、フィルム１２、及びモノフィラメント５００の間を縫うように配置されている。
【０１４２】
また、緯糸５１ｘを構成するモノフィラメント５００と、経方向ｙに１ｍｍ程度の間隔を隔て配置される両隣のモノフィラメント５００とを、互い違いとなって経糸５０ｘの間を縫うように配置することで、図７（ｃ）に示すように、緯糸５１ｘを構成するモノフィラメント５００が、経糸５０ｘを構成する遮光テープ１１を挟み込んでいる。  
同様に、緯糸５１ｘを構成するモノフィラメント５００が、経糸５０ｘを構成するモノフィラメント５００、及びフィルム１２を厚さ方向ｚから挟み込んでいる。（図示せず。）
【０１４３】
農業用ネット１における、緯方向ｘの端には補強糸（図示せず）を織り込むことで、強度の高い適宜幅の耳部（図示せず）が形成されている。  
なお、上述の説明において、緯糸５１ｘをすべてモノフィラメント５００によって形成しているが、緯糸５１ｘの少なくとも一本をモノフィラメント５００によって形成していればよく、例えば、緯糸５１ｘのうち少なくとも一本を紡績糸５０１によって形成し、緯糸５１ｘを、モノフィラメント５００と紡績糸５０１とを交互に並列に配置することで構成してもよい。
【０１４４】
緯糸５１ｘをモノフィラメント５００、及び紡績糸５０１とで構成し、モノフィラメント５００と紡績糸５０１とを経方向ｙに交互に並列に配置し、網状の織地６ｘを形成することによって、農業用ネット１ｘで被覆する栽培作物４に適した湿度を超えないようにすることができ、多湿による病害や前記農業用ネットに付着した水滴が栽培作物に落下する落滴によって、栽培作物が損傷等することを防止することができる。
【０１４５】
このように構成された農業用ネット１ｘ及び、農業用ネット１ｘを利用した農業用ハウスの内張りカーテン２は、農業用ネット１及び内張りカーテン２と同様の効果を奏することができる。
【符号の説明】
【０１４６】
１，１ｘ…農業用ネット
２…内張りカーテン
３…農業用ハウス
４…栽培作物
１００…糸状体
１３…遮光テープ
１４…フィルム
２０，２０ｘ…網目
【図１】
2020080655.tif 000003
【図２】
2020080655.tif 000004
【図３】
2020080655.tif 000005
【図４】
2020080655.tif 000006
【図５】
2020080655.tif 000007
【図６】
2020080655.tif 000008
【図７】
2020080655.tif 000009